(57)【要約】【課題】人の興味を惹く特別な視覚効果を与え、簡易な構造のため小型化、軽量化が可能であり、取り扱いが容易で、製造コストを低減することができる視覚表示用構造体を提供する。【解決手段】光透過性を有する部材により板状に形成されたフィルム４と、フィルム４の背面側に離れて配置された板状の表示部材６，８と、を備え、フィルム４は、この前面に上端から下端まで連続して細長く形成されたプリズム１４が、フィルム４の前面の左右方向に複数平行に並んで形成され、表示部材６，８は、フィルム４の背面と表示部材６，８の前面の間の、フィルム４の背面に対して垂直な方向の間隔が、フィルム４の左右方向の両端部から中央部に近づくにしたがって大きくなるように配置され、表示部材６，８の前面に表示した画像体１０，１２を、フィルム４の前面側から特別な視覚効果により観賞できるように構成された。【選択図】図１
2019039962.tif 000002
【特許請求の範囲】
【請求項１】
光透過性を有する部材により板状に形成されたフィルムと、
前記フィルムの背面側に離れて配置された板状の表示部材と、を備え、
前記フィルムは、この前面に上端から下端まで連続して細長く形成されたプリズムが、前記フィルムの前面の左右方向に複数平行に並んで形成され、
前記表示部材は、前記フィルムの背面と前記表示部材の前面の間の、前記フィルムの背面に対して垂直な方向の間隔が、前記フィルムの左右方向の両端部から中央部に近づくにしたがって大きくなるように配置され、
前記表示部材の前面に表示した画像体を、前記フィルムの前面側から特別な視覚効果により観賞できるように構成された
ことを特徴とする視覚表示用構造体。
【請求項２】
前記プリズムのそれぞれは、前記フィルムの上下方向に伸びる頂点連続線を両側から挟む２つの側面を有し、前記頂点連続線に対して垂直な断面が、前記２つの側面を二辺とし、前記頂点連続線を頂点とする直角二等辺三角形に形成された
ことを特徴とする請求項１に記載の視覚表示用構造体。
【請求項３】
前記表示部材は、それぞれが略同一形状の、右表示部材と左表示部材を備え、
前記フィルム、前記右表示部材及び前記左表示部材が、三角筒状構造体を形成するように組み合わされて構成された
ことを特徴とする請求項１又は２に記載の視覚表示用構造体。
【請求項４】
前記右表示部材と前記左表示部材の接合部において、前記右表示部材と前記左表示部材のそれぞれの前記三角筒状構造体の内側面が形成する角度が変更可能となるように構成され、
前記フィルムと前記右表示部、及び前記フィルムと前記左表示部の接合部において、その接合が着脱可能となるように構成された
ことを特徴とする請求項３に記載の視覚表示用構造体。
【請求項５】
前記右表示部材と前記左表示部材は、左右方向に長い略長方形の板状に形成された単一の部材を、その左右方向の略中央に位置する上下方向に伸びる折曲線に沿って折り曲げて形成された
ことを特徴とする請求項３又は４に記載の視覚表示用構造体。
【請求項６】
前記右表示部材と前記左表示部材には、前記右表示部材と前記左表示部材の接合部の下側に位置する、それぞれの隅部を斜めに切り欠いたような右傾斜辺及び左傾斜辺がそれぞれ形成され、
前記右傾斜辺と前記左傾斜辺は、前記右表示部材と前記左表示部材の接合部を挟んで対称形状に形成された
ことを特徴とする請求項３から５のいずれかに記載の視覚表示用構造体。
【請求項７】
前記フィルムは、左右方向に長い略長方形の板状に形成され、
前記表示部材は、左右方向に長い略長方形の板状に形成された部材を、前記表示部材の前面の上下方向に対して垂直な断面が円弧状に形成されるようにするため、前記表示部材がこの背面方向に膨出するように湾曲させて形成され、
前記フィルムと前記表示部材の左右それぞれの辺部同士が接合され、
前記フィルムと前記表示部材の接合部が着脱可能となるように構成された
ことを特徴とする請求項１または２に記載の視覚表示用構造体。
【発明の詳細な説明】
【技術分野】
【０００１】
本発明は、写真や絵画のような画像体を観賞するためにそれらを表示し、特別な視覚効果を与えて観賞することができるようにした視覚表示用構造体に関するものである。
【背景技術】
【０００２】
従来の視覚表示用構造体としては、本体の内部に絵画等の画像体を収納して、ガラス等により抑えて支持させ、その本体を壁面の釘に掛けたりテーブルの上に載置したりして観賞する、額縁構造のようなものが知られていた。（例えば特許文献１の図１）
【０００３】
また、複数の画像体を表示する視覚表示用構造体としては、紙等で形成された三角筒状構造体のそれぞれの外側面に画像体を貼り付けたものを、テーブル等の水平面上に立てて載置するようなものが知られていた。（例えば特許文献２の図６，図７）
【０００４】
またこれとは別の視覚表示用構造体として、観賞する画像体に特別な視覚効果を与えるものとしては、２つの画像体を縦方向に細かく分割して交互に配置した画像を作成し、画像体の分割幅に合わせて形成された細長いカマボコ形状の凸レンズを、画像の上に並べて配置することにより、観賞する角度によって見える画像体が変化するという、レンチキュラーという技法を用いたものが知られていた。（例えば特許文献３の図１）
【０００５】
さらにこれらとは別の視覚表示用構造体として、画像体の画像情報をデジタルデータに変換し、デジタルデータ上で様々な視覚効果を付与したものを本体に内蔵し、それを小型の液晶表示装置等の表示画面に表示する電子写真立てのようなものが知られていた。（例えば特許文献４の図１）
【先行技術文献】
【特許文献】
【０００６】
【特許文献１】実用新案登録第３０９９６５５号公報
【特許文献２】特開２００９−８０２５４号公報
【特許文献３】実用新案登録第３０１６８７６号公報
【特許文献４】特開２００１−６７００４号公報
【発明の概要】
【発明が解決しようとする課題】
【０００７】
しかしながら、上述したような額縁構造や三角筒状構造体のような視覚表示用構造体では、画像体はそれぞれが独立したものとして観賞するために表示されているだけで、特別な視覚効果もないため、人の興味を惹きにくいという問題点があった。
【０００８】
また、上記レンチキュラーの技法を用いたものは、あらかじめ２つの画像体を細かく分割して交互に配置した画像（レンチキュラー画像）を作成するため、２つの画像体を同時に観賞することができないという問題点があった。また、最初に表示していた画像体とは別の、新しい画像体を観賞するためには、あらたにレンチキュラー画像を作成する作業が必要となるため、画像体の交換を容易に行うことができないという問題点もあった。
【０００９】
また、上記電子写真立てのようなものは、特別な視覚効果を与えることが可能だが、このような視覚表示用構造体は、液晶表示装置やその制御装置等を備えるため、その構造は複雑なものとなり、視覚表示用構造体の小型化、軽量化が難しくなるだけでなく、衝撃等により視覚表示用構造体が破損するおそれがあるため、視覚表示用構造体の取扱いに注意を払う必要があるという問題点があった。また、視覚表示用構造体自体の製造コストも増大するという問題もあった。
【００１０】
そこで本発明は、上記問題点に鑑みて、人の興味を惹く特別な視覚効果を与え、簡易な構造のため小型化、軽量化が可能であり、取り扱いが容易で、製造コストを低減することができる視覚表示用構造体を提供することを課題とするものである。
【課題を解決するための手段】
【００１１】
上記課題を解決するために、本発明による視覚表示用構造体は、
光透過性を有する部材により板状に形成されたフィルムと、
前記フィルムの背面側に離れて配置された板状の表示部材と、を備え、
前記フィルムは、この前面に上端から下端まで連続して細長く形成されたプリズムが、前記フィルムの前面の左右方向に複数平行に並んで形成され、
前記表示部材は、前記フィルムの背面と前記表示部材の前面の間の、前記フィルムの背面に対して垂直な方向の間隔が、前記フィルムの左右方向の両端部から中央部に近づくにしたがって大きくなるように配置され、
前記表示部材の前面に表示した画像体を、前記フィルムの前面側から特別な視覚効果により観賞できるように構成された
ことを特徴とするものである。
【００１２】
また、本発明による視覚表示用構造体は、
前記プリズムのそれぞれは、前記フィルムの上下方向に伸びる頂点連続線を両側から挟む２つの側面を有し、前記頂点連続線に対して垂直な断面が、前記２つの側面を二辺とし、前記頂点連続線を頂点とする直角二等辺三角形に形成された
ことを特徴とするものである。
【００１３】
また、本発明による視覚表示用構造体は、
前記表示部材は、それぞれが略同一形状の、右表示部材と左表示部材を備え、
前記フィルム、前記右表示部材及び前記左表示部材が、三角筒状構造体を形成するように組み合わされて構成された
ことを特徴とするものである。
【００１４】
また、本発明による視覚表示用構造体は、
前記右表示部材と前記左表示部材の接合部において、前記右表示部材と前記左表示部材のそれぞれの前記三角筒状構造体の内側面が形成する角度が変更可能となるように構成され、
前記フィルムと前記右表示部、及び前記フィルムと前記左表示部の接合部において、その接合が着脱可能となるように構成された
ことを特徴とするものである。
【００１５】
また、本発明による視覚表示用構造体は、
前記右表示部材と前記左表示部材は、左右方向に長い略長方形の板状に形成された単一の部材を、その左右方向の略中央に位置する上下方向に伸びる折曲線に沿って折り曲げて形成された
ことを特徴とするものである。
【００１６】
また、本発明による視覚表示用構造体は、
前記右表示部材と前記左表示部材には、前記右表示部材と前記左表示部材の接合部の下側に位置する、それぞれの隅部を斜めに切り欠いたような右傾斜辺及び左傾斜辺がそれぞれ形成され、
前記右傾斜辺と前記左傾斜辺は、前記右表示部材と前記左表示部材の接合部を挟んで対称形状に形成された
ことを特徴とするものである。
【００１７】
また、本発明による視覚表示用構造体は、
前記フィルムは、左右方向に長い略長方形の板状に形成され、
前記表示部材は、左右方向に長い略長方形の板状に形成された部材を、前記表示部材の前面の上下方向に対して垂直な断面が円弧状に形成されるようにするため、前記表示部材がこの背面方向に膨出するように湾曲させて形成され、
前記フィルムと前記表示部材の左右それぞれの辺部同士が接合され、
前記フィルムと前記表示部材の接合部が着脱可能となるように構成された
ことを特徴とするものである。
【発明の効果】
【００１８】
このような本発明による視覚表示用構造体によれば、
光透過性を有する部材により板状に形成されたフィルムと、
前記フィルムの背面側に離れて配置された板状の表示部材と、を備え、
前記フィルムは、この前面に上端から下端まで連続して細長く形成されたプリズムが、前記フィルムの前面の左右方向に複数平行に並んで形成され、
前記表示部材は、前記フィルムの背面と前記表示部材の前面の間の、前記フィルムの背面に対して垂直な方向の間隔が、前記フィルムの左右方向の両端部から中央部に近づくにしたがって大きくなるように配置され、
前記表示部材の前面に表示した画像体を、前記フィルムの前面側から特別な視覚効果により観賞できるように構成されたことにより、
人の興味を惹く特別な視覚効果を与え、簡易な構造のため小型化、軽量化が可能であり、取り扱いが容易で、製造コストを低減することができる。
【図面の簡単な説明】
【００１９】
【図１】本発明の第１の実施の形態に係る視覚表示用構造体２を示す概略斜視図である。
【図２】視覚表示用構造体２を示す図であり、図２（ａ）は視覚表示用構造体２の上面図であり、図２（ｂ）は視覚表示用構造体２の正面図である。
【図３】視覚表示用構造体２を示す図であり、図３（ａ）は視覚表示用構造体２の右側面図であり、図３（ｂ）はフィルム４と、右表示部材６及び左表示部材８を重ね合わせた状態の視覚表示用構造体２の上面図である。
【図４】フィルム４のプリズム面４ａの構造を説明するために参照する図であり、図１におけるＡ−Ａ線矢視断面斜視図の一部を拡大した拡大断面斜視図である。
【図５】フィルム４の光学的な作用を説明するための概略図である。
【図６】フィルム４による視覚効果を説明するための概略図であり、図６（ａ）は視覚効果がない状態の表示、図６（ｂ）はプリズム１４の第１側面１４ａの作用による表示、図６（ｃ）はプリズム１４の第２側面１４ｂの作用による表示、図６（ｄ）は第１側面１４ａ及び第２側面１４ｂを併せた、プリズム１４の視覚効果による表示を示した概略図である。
【図７】本発明の第２の実施の形態に係る視覚表示用構造体２２を示す図であり、図７（ａ）は視覚表示用構造体２２の上面図であり、図７（ｂ）は視覚表示用構造体２２の正面図である。
【図８】視覚表示用構造体２２を示す図であり、図８（ａ）は視覚表示用構造体２２の右側面図であり、図８（ｂ）はフィルム４と表示部材２４を重ね合わせた状態の視覚表示用構造体２２の上面図である。
【図９】本発明の第３の実施の形態に係る視覚表示用構造体３２を示す図であり、図９（ａ）は視覚表示用構造体３２の上面図であり、図９（ｂ）は視覚表示用構造体３２の正面図である。
【図１０】本発明の第４の実施の形態に係る視覚表示用構造体４２を示す図であり、図１０（ａ）は視覚表示用構造体４２の正面図であり、図１０（ｂ）は視覚表示用構造体４２の右側面図である。
【発明を実施するための形態】
【００２０】
以下、本発明による視覚表示用構造体を実施するための形態について、図面に基づいて具体的に説明する。
【００２１】
図１ないし図６は、本発明の第１の実施の形態に係る視覚表示用構造体２について説明するために、参照する図である。
【００２２】
本実施の形態に係る視覚表示用構造体２は、図１に示すように、それぞれが略四角形の、厚さが０．５〜１ｍｍ位の薄い板状に形成された、フィルム４、右表示部材６及び左表示部材８が、三角筒状構造体を形成するように組み合わされて構成されている。
【００２３】
フィルム４は、光透過性を有する材料で形成されており、図２に示すように、左右方向に長い略長方形の、厚さが０．５〜１ｍｍ位の薄い板状に形成されている。
【００２４】
そして、フィルム４の前面（三角筒状構造体の外側の面）には、図１に示すようにプリズム面４ａが形成されており、このプリズム面４ａには、図４に示すように、複数の細長いプリズム１４が形成されている。
【００２５】
プリズム１４は、フィルム４のプリズム面４ａの上下方向に伸びる、互いに平行な頂点連続線１４ｃを両側から挟んだ、２つの側面（第１側面１４ａ及び第２側面１４ｂ）を有して構成され、プリズム面４ａの上端から下端まで連続して１本ずつ、上下方向に細長く形成されている。
【００２６】
第１側面１４ａと第２側面１４ｂはそれぞれ、頂点連続線１４ｃに対して垂直な幅方向の寸法が、略同一となるように形成されており、第１側面１４ａと第２側面１４ｂは、頂点連続線１４ｃにおけるお互いの角度が、略９０度となるように構成されている。
【００２７】
すなわち、プリズム１４の頂点連続線１４ｃに対して垂直な断面は、この２つの側面（第１側面１４ａ及び第２側面１４ｂ）を２辺とし、頂点連続線１４ｃを頂点とし、上記２つの側面がなす角度を略９０度とする直角二等辺三角形に形成されている。
【００２８】
このようなプリズム面４ａの上下方向に細長いプリズム１４が、プリズム面４ａの図１及び図４中左右方向に多数、隙間なく、互いに平行に並んで形成されている。
【００２９】
また、フィルム４の背面４ｂ（図１における三角筒状構造体の内側の面）は、図４に示すように、平坦に形成されている。
【００３０】
フィルム４は、例えば、その厚さ寸法が０．４５ｍｍのポリカーボネート製のフィルムの前面に、高さ寸法（フィルム４の厚さ方向の寸法）が０．１８ｍｍのプリズム１４が、多数形成されたものが用いられている。
【００３１】
そして、図１及び図２（ａ）に示すように、フィルム４の背面側には、右表示部材６及び左表示部材８がフィルム４から離れて配置されている。
【００３２】
右表示部材６は、図２及び図３（ａ）に示すように、一辺の長さ寸法がフィルム４の上下方向の寸法と略同一である略正方形の薄い板状に形成され、その前面（三角筒状構造体の内側の面）には、図１に示すように、画像体１０が表示されている。
【００３３】
左表示部材８も同様に、一辺の長さ寸法がフィルム４の上下方向の寸法と略同一である略正方形の薄い板状に形成され、その前面（三角筒状構造体の内側の面）には、図１に示すように、画像体１２が表示されている。
【００３４】
右表示部材６及び左表示部材８は、例えば、厚紙、樹脂製板、金属板等により形成され、その前面には、画像体１０，１２が印刷された写真紙がそれぞれ貼り付けられている。
【００３５】
右表示部材６と左表示部材８は、図１及び図２（ａ）に示すように、右表示部材６の左辺部と左表示部材８の右辺部をお互いに突き合わせて配置され、突き合わせた辺部同士が接合されている。
【００３６】
そして、右表示部材６と左表示部材８の接合部が折れ曲がることにより、それぞれの前面が形成する角度が変更可能となるように構成されている。
【００３７】
右表示部材６と左表示部材８の接合は、例えば、右表示部材６の左辺部と左表示部材８の右辺部をお互いに突き合わせて配置し、突き合わせた辺部の背面側（三角筒状構造体の外側）を、突き合わせた辺部に沿って粘着テープ等で接合することにより行う。
【００３８】
そして、右表示部材６と左表示部材８は、図１及び図２（ａ）に示すように、その接合部における、それぞれの前面が形成する角度が約９５度となるように構成され、その前面に表示された画像体１０，１２のそれぞれが三角筒状構造体の内側に向くように構成されている。
【００３９】
そして、右表示部材６とフィルム４は、図１及び図２（ａ）に示すように、右表示部材６の右辺部とフィルム４の右辺部をお互いに突き合わせて配置し、接合部材１６によって、突き合わせた辺部同士を接合している。
【００４０】
接合部材１６は、右表示部材６とフィルム４の突き合わせた辺部の長さと略同一の長さ寸法を有する帯状の部材であり、可撓性を有する材料により形成されている。
【００４１】
そして、図１及び図２（ａ）に示すように、接合部材１６を長さ方向に垂直な幅方向で二分割した２つの領域の一方を、フィルム４の右辺部の前面側に沿って接合し、他方を右表示部材６の右辺部の背面側（三角筒状構造体の外側）に沿って接合することにより、右表示部材６とフィルム４の辺部同士を接合している。
【００４２】
このとき、接合部材１６と右表示部材６の右辺部は、その接合が着脱可能となるように構成されており、フィルム４と右表示部材６を接合したり、その接合を解除したりすることが可能になっている。
【００４３】
左表示部材８とフィルム４も同様に、左表示部材８の左辺部とフィルム４の左辺部をお互いに突き合わせて配置し、フィルム４の右辺部側と同様の形状の接合部材１６によって、突き合わせた辺部同士を接合している。
【００４４】
そして、接合部材１６と左表示部材８の左辺部も、その接合が着脱可能となるように構成されており、フィルム４と左表示部材８を接合したり、その接合を解除したりすることが可能になっている。
【００４５】
フィルム４と右表示部材６（または左表示部材８）の接合は、例えば、粘着テープと、フック面とループ面で構成される面ファスナー（マジックテープ（登録商標）等）を接合部材１６として用いることにより、その接合が着脱可能となるように構成される。
【００４６】
すなわち、粘着テープの接着面をその幅方向に二分割した２つの領域の一方をフィルム４の右辺部（または左辺部）の前面側に沿って貼り付け、他方に面ファスナーのフック面を貼り付ける。そして、面ファスナーのループ面を、右表示部材６の右辺部（または左表示部材８の左辺部）の背面側に沿って貼り付ける。そして、これらフック面とループ面で構成される面ファスナーにより、フィルム４と右表示部材６（または左表示部材８）の接合が着脱可能となるように構成する。
【００４７】
そして、フィルム４と右表示部材６及び左表示部材８の接合をそれぞれ解除し、右表示部材６と左表示部材８の接合部におけるそれぞれの前面が形成する角度を略１８０度となるように伸ばすことにより、図３（ｂ）に示すように、視覚表示用構造体２を平坦な状態にして、分離したフィルム４を右表示部材６及び左表示部材８に重ね合わせることができるようになっている。
【００４８】
次に、視覚表示用構造体２を用いて、画像体を表示する手順について説明する。
【００４９】
図５は、フィルム４の光学的な作用を説明するために、フィルム４のプリズム面４ａに形成されたプリズム１４を構成する第１側面１４ａ及び第２側面１４ｂと、フィルム４の背面４ｂの位置関係を、拡大して概略的に示した図である。
【００５０】
まず、プリズム１４の第１側面１４ａとフィルム４の背面４ｂに着目した場合、図５に示すように、画像体１０（又は画像体１２）上の任意の点Ｐからフィルム４の背面４ｂへの光の入射角度をαとし、フィルム４の背面４ｂでの屈折角度をβとする。そして、フィルム４の内部を進む光の第１側面１４ａへの入射角度をγとし、第１側面１４ａでの屈折角度をδとする。
【００５１】
空気中からフィルム４へ進むときの光の屈折率をｎとすると、それぞれの光の入射角と屈折角の関係は、スネルの法則より、ｓｉｎα／ｓｉｎβ＝ｎ，ｓｉｎγ／ｓｉｎδ＝１／ｎと表すことができる。
【００５２】
また、上述のように、プリズム１４の断面は直角二等辺三角形状に形成されているため、プリズム１４を構成する第１側面１４ａ及び第２側面１４ｂの、フィルム４の背面４ｂに対する角度は、それぞれ略４５度に構成されている。
【００５３】
そして、図５に示すように、観賞者Ａは視覚表示用構造体２をプリズム面１４ａに対して略垂直方向から観賞するものとすると、第１側面１４ａにおける屈折角度δは略４５度となり、β，γ，δにはβ＝δ−γの関係が成り立つ。
【００５４】
ここで、例として、ポリカーボネートにより形成されたフィルム４を用いた場合、ポリカーボネートの屈折率ｎ２は約１．５８であり、空気の屈折率ｎ１を約１とすると、空気中からフィルム４へ進むときの屈折率ｎはｎ＝ｎ２／ｎ１＝１．５８と計算される。
【００５５】
上記の３式（ｓｉｎα／ｓｉｎβ＝ｎ，ｓｉｎγ／ｓｉｎδ＝１／ｎ，β＝δ−γ）に、ｎ＝１．５８，δ＝４５度を用いることで、α，β，γそれぞれの角度は、γ＝約２６．６度，β＝約１８．４度，α＝約３０度と計算される。
【００５６】
すなわち、観賞者Ａにとって点Ｐは、図５に示すように、点Ｐから左方向にズレ量Ｇだけ移動した位置の見かけ上の点Ｐ１として観賞される。
【００５７】
また、点Ｐと点Ｐ１のズレ量Ｇは、図５に示すように、点Ｐとフィルム４の背面４ｂの間の距離が大きくなるにつれて大きくなるため、図２（ａ）に示すような、本実施の形態に係る視覚表示用構造体２においては、点Ｐと点Ｐ１のズレ量Ｇは、右表示部材６と左表示部材８の接合部付近（フィルム４の左右方向の中央部）が最も大きくなり、フィルム４と右表示部材６及び左表示部材８の接合部付近（フィルム４の左右方向の両端部）が最も小さくなる。
【００５８】
すなわち、図１における画像体１０，１２を、フィルム４の背面４ｂとプリズム１４の第１側面１４ａを通して観賞した場合、観賞者Ａには、図６（ｂ）に示すように、右表示部材６に表示された画像体１０は左方向に引き延ばされたように見え、左表示部材８に表示された画像体１２は左方向に縮められたように見える。
【００５９】
プリズム１４の第２側面１４ｂとフィルム４の背面４ｂに着目した場合も、第２側面１４ｂは、図４に示すように、頂点連続線１４ｃを挟んで第１側面１４ａと対称に形成されているため、上記と同様に計算することができる。
【００６０】
その結果、図５に示すように、観賞者Ａにとって、画像体１０（又は画像体１２）上の任意の点Ｑは、フィルム４の背面４ｂとプリズム１４の第２側面１４ｂにより、点Ｑから右方向にズレ量Ｇだけ移動した位置に存在する見かけ上の点Ｑ１として観賞される。
【００６１】
すなわち、図１における画像体１０，１２を、フィルム４の背面４ｂとプリズム１４の第２側面１４ｂを通して観賞した場合、観賞者Ａには、図６（ｃ）に示すように、左表示部材８に表示された画像体１２は右方向に引き延ばされたように見え、右表示部材６に表示された画像体１０は右方向に縮められたように見える。
【００６２】
そして、観賞者Ａが視覚表示用構造体２を観賞するときは、第１側面１４ａを通った光と第２側面１４ｂを通った光を同時に観賞するため、観賞者Ａにとっては、第１側面１４ａによって左方向に引き延ばされたように見える画像体１０と、第２側面１４ｂによって右方向に引き延ばされたように見える画像体１２が、フィルム４の左右方向の中央付近において重なったように観賞されるため、図６（ｄ）に示すように、２つの画像体１０，１２が合成されたような特別な視覚効果を得ることができる。
【００６３】
このような、本実施の形態に係る視覚表示用構造体２においては、例えば、ロウソクを立てたケーキの写真と炎の写真や、赤ん坊の写真とその名前等、別々の画像として観賞することもできる２つの画像体に対して、複雑な装置等を用いずともこれらを合成したように表示するという、人の興味を惹く特別な視覚効果を与えることができる。
【００６４】
そして、本実施の形態に係る視覚表示用構造体２は、上述したように、機械的または電子的な部品を使用せず、簡単な構造をしているため、卓上に設置可能なものや、手持ち可能なハガキ大のもの等、視覚表示用構造体２の小型化、軽量化が可能であり、衝撃等により破損する可能性も低いため、取り扱いが容易であり、製造コストも低減できる。
【００６５】
さらに、本実施の形態に係る視覚表示用構造体２は、上述したように、平坦な状態にして３つの部品（フィルム４、右表示部材６、左表示部材８）を重ね合わせることができるため、封書等の郵便物に同封して郵送等することが可能であり、収納や輸送時の取り扱いも容易である。
【００６６】
このような本発明の第１の実施の形態に係る視覚表示用構造体２によれば、人の興味を惹く特別な視覚効果を与え、簡易な構造のため小型化、軽量化が可能であり、取り扱いが容易で、製造コストを低減することができる。
【００６７】
図７及び図８は、本発明の第２の実施の形態に係る視覚表示用構造体２２について説明するために、参照する図である。なお、前記第１の実施の形態に係る視覚表示用構造体２と同様の部分には、一部を除き同じ符号を付して説明するものとする。
【００６８】
本実施の形態に係る視覚表示用構造体２２は、図１に示すような、第１の実施の形態に係る視覚表示用構造体２における右表示部材６、左表示部材８、及び接合部材１６の代わりに、図７に示すような、表示部材２４としての右表示部２６、左表示部２８と係止片３０を備えている点において、第１の実施の形態に係る視覚表示用構造体２とは異なるものである。
【００６９】
表示部材２４は、図７（ｂ）に示すように、その上下方向（高さ方向）の寸法がフィルム４の上下方向の寸法と略同一であり、そして、表示部材２４の左右方向の寸法が、フィルム４の左右方向の寸法より大きい、左右方向に長い略長方形に形成された一枚の薄い板状の部材を、その左右方向の所定の位置で折り曲げることにより形成されている。
【００７０】
表示部材２４は、図７に示すように、その左右方向の略中央に位置する、上下方向に伸びる折曲部２４ａに沿って、三角筒状構造体の内側方向に折り曲げられ、折曲部２４ａの右側には右表示部２６が、折曲部２４ａの左側には左表示部２８がそれぞれ形成されている。
【００７１】
図７及び図８（ａ）に示す表示部材２４の右表示部２６及び左表示部２８は、それぞれが略同一形状の略正方形の薄い板状に形成され、その前面（三角筒状構造体の内側の面）には、画像体１０，１２がそれぞれ表示されている。
【００７２】
そして表示部材２４は、図７に示すように、右表示部２６の右辺部に沿った折曲部２４ｂによって、三角筒状構造体の外側方向に折り曲げられ、この折曲部２４ｂの右側には右係止部２７が形成されている。
【００７３】
表示部材２４の左表示部２８側も同様に、左表示部２８の左辺部に沿った折曲部２４ｃによって、三角筒状構造体の外側方向に折り曲げられ、この折曲部２４ｃの左側には左係止部２９が形成されている。
【００７４】
右係止部２７及び左係止部２９のそれぞれは、図７及び図８（ａ）に示すように、上下方向の寸法が右表示部２６（または左表示部２８）の上下方向の寸法と略同一に形成され、左右方向に所定の幅寸法を有すると共に、上下方向に長さ寸法を有する略長方形の薄い板状に形成されている。
【００７５】
上記のように表示部材２４は、右表示部２６、左表示部２８、右係止部２７、左係止部２９が一体となって形成されている。そして、表示部材２４の各部（右表示部２６、左表示部２８、右係止部２７、左係止部２９）は、表示部材２４の折曲部２４ａ，２４ｂ，２４ｃにおける折り曲げ角度を変更することにより、それぞれの前面が形成する開き角度が変更可能となるように構成されている。
【００７６】
そして、表示部材２４の四隅部、すなわち右係止部２７及び左係止部２９の上部及び下部の前面側には、図７に示すように、係止片３０がそれぞれ取り付けられている。
【００７７】
係止片３０は、図７（ｂ）に示すように、その外形が略直角三角形の薄い板上に形成され、係止片３０の直角を挟んだ２辺が表示部材２４の四隅部、すなわち右係止部２７及び左係止部２９の上部及び下部の辺部に沿って接合されている。
【００７８】
そして、図７及び図８（ａ）に示すように、右係止部２７及び左係止部２９がフィルム４と平行になるように、右係止部２７及び左係止部の前面をフィルム４の背面側に配置し、フィルム４の四隅部を、係止片３０の右係止部２７及び左係止部２９の上部及び下部と接合されていない斜辺部から、右係止部２７及び左係止部２９と係止片３０の間に差し込むことによりフィルム４を係止し、表示部材２４とフィルム４が着脱可能となるように構成されている。
【００７９】
表示部材２４や係止片３０は、例えば、厚紙、樹脂製板等により形成され、その折曲部２４ａ，２４ｂ，２４ｃにおいては、厚さ方向の寸法を小さく形成することにより、折り曲げやすく、かつ折曲部２４ａ，２４ｂ，２４ｃにおいて、表示部材２４の各部相互間の角度が変更可能となるように構成されている。そして、右表示部２６及び左表示部２８の前面には、画像体１０，１２が印刷された写真紙がそれぞれ貼り付けられている。
【００８０】
このような、本実施の形態に係る視覚表示用構造体２２においては、前記第１の実施の形態に係る視覚表示用構造体２における面ファスナーのような部材等の接続部材１６を必要とせず、表示部材２４が一枚の板状の部材を折り曲げることにより形成されているため、視覚表示用構造体２２の構造がより簡易なものとなる。
【００８１】
そして、図８（ｂ）に示すように、視覚表示用構造体２２を平坦な状態にして２つの部品４，２４を重ね合わせた状態においても、接続部材１６を使用しない分、重ね合わせた状態の視覚表示用構造体２２の厚さ寸法をより薄くすることができる。
【００８２】
その他の構成は、前記第１の実施の形態に係る視覚表示用構造体２と同様であるため、このような本発明の第２の実施の形態に係る視覚表示用構造体２２によっても、人の興味を惹く特別な視覚効果を与え、簡易な構造のため小型化、軽量化が可能であり、取り扱いが容易で、製造コストを低減することができる。
【００８３】
さらに、本実施の形態に係る視覚表示用構造体２２を用いることにより、その構造を、前記第１の実施の形態に係る視覚表示用構造体２より簡易なものとすることができる。
【００８４】
図９は、本発明の第３の実施の形態に係る視覚表示用構造体３２について説明するために、参照する図である。なお、前記第１の実施の形態に係る視覚表示用構造体２と同様の部分には、一部を除き同じ符号を付して説明するものとする。
【００８５】
本実施の形態に係る視覚表示用構造体３２は、図１に示すような、第１の実施の形態に係る視覚表示用構造体２における右表示部材６及び左表示部材８の代わりに、図９（ａ）に示すような、断面が円弧状に形成された表示部材３４を備えている点において、第１の実施の形態に係る視覚表示用構造体２とは異なるものである。
【００８６】
表示部材３４は、図９（ｂ）に示すその上下方向の寸法がフィルム４の上下方向の寸法と略同一であり、表示部材３４の左右方向の寸法がフィルム４の左右方向の寸法より大きく形成された、左右方向に長い略長方形の薄い板状の部材を、図９（ａ）に示すように、その上下方向に対して垂直な断面が円弧状に形成されるように、背面方向に膨出するように湾曲させて形成されている。そして、表示部材３４の前面には、図９（ｂ）に示すように、画像体３６が表示されている。
【００８７】
そして、表示部材３４とフィルム４は、図９に示すように、表示部材３４の右辺部とフィルム４の右辺部、表示部材３４の左辺部とフィルム４の左辺部を、それぞれお互いに突き合わせて配置し、第１の実施の形態に係る視覚表示用構造体２で用いた接合部材１６と同様の接合部材１６によって、突き合わせた辺部同士を接合している。
【００８８】
このような、本実施の形態に係る視覚表示用構造体３２においては、画像体３６に、第１の実施の形態に係る視覚表示用構造体２における画像体１０，１２のような明確な境界がないため、画像体３６の右側と左側が、より自然な状態で滑らかに重なり合うような、特別な視覚効果を与えることができる。
【００８９】
その他の構成は、前記第１の実施の形態に係る視覚表示用構造体２と同様であるため、このような本発明の第３の実施の形態に係る視覚表示用構造体３２によっても、人の興味を惹く特別な視覚効果を与え、簡易な構造のため小型化、軽量化が可能であり、取り扱いが容易で、製造コストを低減することができる。
【００９０】
さらに、本実施の形態に係る視覚表示用構造体３２を用いることにより、前記第１の実施の形態に係る表示部材２とは異なった、特別な視覚効果を与えることができる。
【００９１】
図１０は、本発明の第４の実施の形態に係る視覚表示用構造体４２について説明するために、参照する図である。なお、前記第１の実施の形態に係る視覚表示用構造体２と同様の部分には、一部を除き同じ符号を付して説明するものとする。
【００９２】
本実施の形態に係る視覚表示用構造体４２は、図１に示すような、第１の実施の形態に係る視覚表示用構造体２における右表示部材６及び左表示部材８の代わりに、図１０に示すような、右表示部材４６、左表示部材４８を備えている点において、第１の実施の形態に係る視覚表示用構造体２とは異なるものである。
【００９３】
右表示部材４６は、図１に示すような、第１の実施の形態に係る視覚表示用構造体２における右表示部材６の四隅部のうち、左表示部材８と接合される辺部の下側に位置する隅部を、斜めに切り欠いたような形状に形成されており、その切り欠いた部分には右傾斜辺４６ａが形成されている。（図１０参照）
【００９４】
左表示部材４８も同様に、第１の実施の形態に係る視覚表示用構造体２における左表示部材８の四隅部のうち、右表示部材６と接合される辺部の下側に位置する隅部を、斜めに切り欠いたような形状に形成されており、その切り欠いた部分には左傾斜辺４８ａが形成されている。（図１０参照）
【００９５】
右傾斜辺４６ａと左傾斜辺４８ａは、図１０（ａ）に示すように、右表示部材４６と左表示部材４８の接合部を挟んで対称となるように形成されている。
【００９６】
このような、本実施の形態に係る視覚表示用構造体４２においては、テーブル等の水平面上に載置して、右傾斜辺４６ａと左傾斜辺４８ａを水平面上に当接させることにより、視覚表示用構造体４２を水平面上に斜めに立てることができる。このため、フィルム４を通して見える画像を鉛直面から角度をつけて観賞することができる。
【００９７】
その他の構成は、前記第１の実施の形態に係る視覚表示用構造体２と同様であるため、このような本発明の第４の実施の形態に係る視覚表示用構造体４２によっても、人の興味を惹く特別な視覚効果を与え、簡易な構造のため小型化、軽量化が可能であり、取り扱いが容易で、製造コストを低減することができる。
【００９８】
さらに、本実施の形態に係る視覚表示用構造体４２を用いることにより、視覚表示用構造体４２を、テーブル等の水平面上に角度をつけて設置することができるので、斜めにした方が見易いものはそのように見易くすることができる。
【００９９】
なお、本発明の実施の形態は、前記第１ないし第４の実施の形態のみに限定されるものではなく、本発明の目的を達成することができる範囲内であれば、種々の変更が可能である。
【０１００】
例えば、第１の実施の形態に係る視覚表示用構造体２においては、右表示部材６及び左表示部材８は略正方形の薄い板形状に形成されているが、長方形や、その他のどのような形状に形成されていてもよい。
【０１０１】
また、第１の実施の形態に係る視覚表示用構造体２においては、右表示部材６及び左表示部材８は、その接合部におけるそれぞれの前面が形成する角度が約９５度に構成されているが、約９５度以上や約９５度未満に構成されていてもよい。
【０１０２】
また、第１の実施の形態に係る視覚表示用構造体２においては、フィルム４、右表示部材６及び左表示部材８のそれぞれの接合を、例として、粘着テープや面ファスナーにより行っているが、他の部材を用いて接合してもよい。
【０１０３】
また、第１の実施の形態に係る視覚表示用構造体２においては、フィルム４、右表示部材６及び左表示部材８はそれぞれ、０．５〜１ｍｍ位の厚さに形成されているが、これらの部材は、厚さが０．５ｍｍより薄く形成されていてもよく、１ｍｍより厚く形成されていてもよい。
【０１０４】
また、第２の実施の形態に係る視覚表示用構造体２２においては、直角三角形状の係止片３０を用いてフィルム４を係止しているが、係止片３０は長方形や、その他のどのような形状に形成されていてもよい。
【０１０５】
また、第４の実施の形態に係る視覚表示用構造体４２においては、右傾斜辺４６ａ及び左傾斜辺４８ａは、右表示部材４６及び左表示部材４８の四隅部のうちの１つの隅部を切り欠いたように形成しているが、略正方形に形成された表示部材の四隅部のうちの１つの隅部を傾斜辺に沿って折り曲げることにより形成してもよい。
【０１０６】
また、第４の実施の形態に係る視覚表示用構造体４２における右傾斜辺４６ａ及び左傾斜辺４８ａは、第２の実施の形態に係る視覚表示用構造体２２の表示部材２４に形成してもよく、第３の実施の形態に係る視覚表示用構造体３２の表示部材３４に形成してもよい。
【０１０７】
また、本実施の形態に係る視覚表示用構造体においては、例として、表示部材の前面に画像体が印刷された写真紙を貼り付けているが、写真紙以外の例えば普通紙や厚紙等に画像体が印刷されたものを貼り付けてもよい。また、表示部材と画像体が着脱可能に構成され、画像体が交換可能に構成されていてもよい。
【０１０８】
また、本実施の形態に係る視覚表示用構造体においては、例として、ケーキや赤ん坊を写した写真を画像体として用いているが、写真以外にも、イラスト、文字、模様、色彩等、様々なものを画像体として用いることができる。
【０１０９】
また、本実施の形態に係る視覚表示用構造体においては、表示部材とフィルムの間には何も配置されていなかったが、表示部材とフィルムの間に立体物を配置して、それを画像体と併せて観賞するようにしてもよい。
【符号の説明】
【０１１０】
２  視覚表示用構造体
４  フィルム
４ａ  プリズム面
４ｂ  背面
６  右表示部材
８  左表示部材
１０  画像体
１２  画像体
１４  プリズム
１４ａ  第１側面
１４ｂ  第２側面
１４ｃ  頂点連続線
１６  接合部材
２２  視覚表示用構造体
２４  表示部材
２４ａ  折曲部
２４ｂ  折曲部
２４ｃ  折曲部
２６  右表示部
２７  右係止部
２８  左表示部
２９  左係止部
３０  係止片
３２  視覚表示用構造体
３４  表示部材
３６  画像体
４２  視覚表示用構造体
４６  右表示部材
４６ａ  右傾斜辺
４８  左表示部材
４８ａ  左傾斜辺
【図１】
2019039962.tif 000003
【図２】
2019039962.tif 000004
【図３】
2019039962.tif 000005
【図４】
2019039962.tif 000006
【図５】
2019039962.tif 000007
【図６】
2019039962.tif 000008
【図７】
2019039962.tif 000009
【図８】
2019039962.tif 000010
【図９】
2019039962.tif 000011
【図１０】
2019039962.tif 000012